(57)【要約】【課題】組立作業時における光学シートのフレームからの脱落を抑制することが可能な表示装置を提供する。【解決手段】このディスプレイ装置１００（表示装置）は、表示パネル５１と、表示パネル５１の後方に配置されるとともに、外縁部２１近傍から表示パネル５１側の前方に突出する係合板部２２ａ（２２ｂ）を含むリアフレーム２０と、係合板部２２ａ（２２ｂ）と係合するスリットからなる係合孔部４３ａ（４３ｂ）を含むとともに、係合孔部４３ａ（４３ｂ）が係合板部２２ａ（２２ｂ）に嵌め込まれることによりリアフレーム２０に吊り下げられる光学シート４０とを備え、係合板部２２ａ（２２ｂ）および係合孔部４３ａ（４３ｂ）は、それぞれ係合板部２２ａ（２２ｂ）に対して係合孔部４３ａ（４３ｂ）が前方に外れるのを抑制する孔部２３および突起部４４を含む。【選択図】図６
2015129881.tif 000002
【特許請求の範囲】
【請求項１】
表示部と、
前記表示部の後方に配置されるとともに、外縁部近傍から前記表示部側の前方に突出するリアフレーム側係合部を含むリアフレームと、
前記リアフレーム側係合部と係合するスリットまたは切欠きからなる光学シート側係合部を含むとともに、前記光学シート側係合部が前記リアフレーム側係合部に嵌め込まれることにより前記リアフレームに吊り下げられる光学シートとを備え、
前記リアフレーム側係合部および前記光学シート側係合部の少なくとも一方は、前記リアフレーム側係合部に対して前記光学シート側係合部が前方に外れるのを抑制する外れ抑制部を含む、表示装置。
【請求項２】
前記リアフレーム側係合部は、前記表示部の上辺の延びる方向に沿って横方向に延びる板状形状に形成され、
前記光学シート側係合部は、前記リアフレーム側係合部が嵌め込まれて係合される細長形状のスリットまたは切欠きにより構成され、
前記光学シートは、前記光学シート側係合部が前記リアフレーム側係合部に嵌め込まれて係合されている状態で、前記外れ抑制部により、前記光学シート側係合部が前記リアフレーム側係合部に対して前方に外れるのを抑制するように構成されている、請求項１に記載の表示装置。
【請求項３】
前記リアフレーム側係合部と前記光学シート側係合部とは、前記外れ抑制部において、正面視で前記表示装置の設置状態における係合部分が互いに重なり合う重なり部分を有する、請求項１または２に記載の表示装置。
【請求項４】
前記リアフレーム側係合部は、前記リアフレーム側係合部の厚み方向に貫通する孔部を有し、
前記光学シート側係合部は、前記リアフレーム側係合部を係合させる係合孔部と、前記リアフレーム側係合部の前記孔部側に突出して、前記孔部内に当接する突出部とを有し、
前記リアフレーム側係合部が前記係合孔部に嵌め込まれて前記光学シート側係合部に係合している状態で、前記光学シート側係合部の前記突出部が前記リアフレームの前記孔部の内面に当接することにより、前記光学シート側係合部が前記リアフレーム側係合部に対して前方に外れるのを抑制するように構成されている、請求項３に記載の表示装置。
【請求項５】
前記光学シート側係合部の前記突出部の突出量は、前記突出部の突出方向における前記光学シート側係合部の前記係合孔部の幅と前記リアフレーム側係合部の厚みとの差よりも大きくなるように設定されている、請求項４に記載の表示装置。
【請求項６】
前記リアフレーム側係合部は、凸状の曲げ部または絞り部を含み、
前記曲げ部または前記絞り部は、前記外れ抑制部において、前記光学シート側係合部に対して正面視で重なるように構成されている、請求項１〜５のいずれか１項に記載の表示装置。
【発明の詳細な説明】
【技術分野】
【０００１】
この発明は、表示装置に関し、特に、表示部および光源の間に配置される光学シートと光学シートを係合により支持するフレームとを備えた表示装置に関する。
【背景技術】
【０００２】
従来、表示部および光源の間に配置される光学シートと光学シートを係合により支持するフレームとを備えた表示装置が知られている（たとえば、特許文献１参照）。
【０００３】
上記特許文献１には、表示部の後方に配置される下フレームと、下フレームに係合することにより支持される光学シートとを備えた表示装置が開示されている。また、下フレームは、外縁部近傍から表示部側の前方に突出する柱状部材を有している。また、光学シートは、下フレームの柱状部材と係合する貫通穴を有している。
【先行技術文献】
【特許文献】
【０００４】
【特許文献１】特開２００２−１９６３１２号公報
【発明の概要】
【発明が解決しようとする課題】
【０００５】
しかしながら、上記特許文献１に記載の表示装置では、組立作業時において、光学シートの撓みなどに起因して、下フレームの柱状部材と光学シートの貫通穴との係合状態が維持されず、光学シートが下フレームから脱落してしまうという問題点がある。
【０００６】
この発明は、上記のような課題を解決するためになされたものであり、この発明の１つの目的は、組立作業時における光学シートのフレームからの脱落を抑制することが可能な表示装置を提供することである。
【課題を解決するための手段】
【０００７】
この発明の一の局面による表示装置は、表示部と、表示部の後方に配置されるとともに、外縁部近傍から表示部側の前方に突出するリアフレーム側係合部を含むリアフレームと、リアフレーム側係合部と係合するスリットまたは切欠きからなる光学シート側係合部を含むとともに、光学シート側係合部がリアフレーム側係合部に嵌め込まれることによりリアフレームに吊り下げられる光学シートとを備え、リアフレーム側係合部および光学シート側係合部の少なくとも一方は、リアフレーム側係合部に対して光学シート側係合部が前方に外れるのを抑制する外れ抑制部を含む。
【０００８】
この発明の一の局面による表示装置では、上記のように、リアフレーム側係合部および光学シート側係合部の少なくとも一方がリアフレーム側係合部に対して光学シート側係合部が前方に外れるのを抑制する外れ抑制部を設けることによって、外れ抑制部により光学シート側係合部が前方に外れるのが抑制されるので、光学シート側係合部がリアフレーム側係合部に嵌め込まれた状態が維持され、組立作業時における光学シートのリアフレームからの脱落を抑制することができる。また、リアフレーム側係合部および光学シート側係合部の少なくとも一方が外れ抑制部を含むので、外れ抑制部を別個に設ける場合に比べて、部品点数の増加を抑制することができる。
【０００９】
上記一の局面による表示装置において、好ましくは、リアフレーム側係合部は、表示部の上辺の延びる方向に沿って横方向に延びる板状形状に形成され、光学シート側係合部は、リアフレーム側係合部が嵌め込まれて係合される細長形状のスリットまたは切欠きにより構成され、光学シートは、光学シート側係合部がリアフレーム側係合部に嵌め込まれて係合されている状態で、外れ抑制部により、光学シート側係合部がリアフレーム側係合部に対して前方に外れるのを抑制するように構成されている。このように構成すれば、リアフレーム側係合部が板状形状に形成され、光学シート側係合部が細長形状のスリットまたは切欠きにより構成されるので、表示装置の縁部を幅方向に小さく（細く）形成することができる。
【００１０】
上記一の局面による表示装置において、好ましくは、リアフレーム側係合部と光学シート側係合部とは、外れ抑制部において、正面視で表示装置の設置状態における係合部分が互いに重なり合う重なり部分を有する。このように構成すれば、光学シート側係合部が脱落する方向にリアフレーム側係合部が重なるように配置されるので、簡易な構成で組立作業時における光学シートのリアフレームからの脱落を効果的に抑制することができる。
【００１１】
この場合、好ましくは、リアフレーム側係合部は、リアフレーム側係合部の厚み方向に貫通する孔部を有し、光学シート側係合部は、リアフレーム側係合部を係合させる係合孔部と、リアフレーム側係合部の孔部側に突出して、孔部内に当接する突出部とを有し、リアフレーム側係合部が係合孔部に嵌め込まれて光学シート側係合部に係合している状態で、光学シート側係合部の突出部がリアフレームの孔部の内面に当接することにより、光学シート側係合部がリアフレーム側係合部に対して前方に外れるのを抑制するように構成されている。このように構成すれば、突出部が孔部の内面に当接することにより、光学シート側係合部がリアフレーム側係合部に対して前方に外れるのが抑制されるので、リアフレーム側係合部の光学シートよりも前方（表示部の前方）側に突出する部分の突出高さを小さく抑えることができる。その結果、表示装置の縁部を厚み方向に小さく（細く）形成することができる。
【００１２】
上記光学シート側係合部が係合孔部と突出部とを有する構成において、好ましくは、光学シート側係合部の突出部の突出量は、突出部の突出方向における光学シート側係合部の係合孔部の幅とリアフレーム側係合部の厚みとの差よりも大きくなるように設定されている。このように構成すれば、光学シート側係合部の突出部を、確実に、リアフレーム側係合部の孔部の内面に当接させることができるので、より確実に、組立作業時における光学シートのリアフレームからの脱落を抑制することができる。
【００１３】
上記一の局面による表示装置において、好ましくは、リアフレーム側係合部は、凸状の曲げ部または絞り部を含み、曲げ部または絞り部は、外れ抑制部において、光学シート側係合部に対して正面視で重なるように構成されている。このように構成すれば、リアフレーム側係合部の曲げ部または絞り部を、曲げ加工や絞り加工により形成するだけの簡単な構成で、リアフレーム側係合部と光学シート側係合部とが重なるように構成することができるので、組立作業時における光学シートのリアフレームからの脱落を容易かつ確実に抑制することができる。
【発明の効果】
【００１４】
本発明によれば、上記のように、組立作業時における光学シートのフレームからの脱落を抑制することが可能な表示装置を提供することができる。
【図面の簡単な説明】
【００１５】
【図１】本発明の第１実施形態によるディスプレイ装置の全体構成を示した斜視図である。
【図２】本発明の第１実施形態によるディスプレイ装置の表示モジュールおよびフロントキャビネットの分解斜視図である。
【図３】本発明の第１実施形態によるディスプレイ装置のリアフレームにＬＥＤ光源および反射シートを取り付けた状態を示した図である。
【図４】本発明の第１実施形態によるディスプレイ装置の光学シートを示した図である。
【図５】本発明の第１実施形態によるディスプレイ装置のリアフレームの一方の係合板部に光学シートの一方の係合穴部を取り付ける前の状態を示した斜視図である。
【図６】本発明の第１実施形態によるディスプレイ装置のリアフレームの一方の係合板部に光学シートの一方の係合穴部を取り付けた状態を示した斜視図である。
【図７】本発明の第１実施形態によるディスプレイ装置のリアフレームの他方の係合板部に光学シートの他方の係合穴部を取り付けた状態を示した斜視図である。
【図８】本発明の第２実施形態によるディスプレイ装置のリアフレームの係合板部に光学シートの係合穴部を取り付けた状態を示した斜視図である。
【図９】本発明の第３実施形態によるディスプレイ装置のリアフレームの係合板部に光学シートの係合穴部を取り付けた状態を示した斜視図である。
【図１０】本発明の第４実施形態によるディスプレイ装置のリアフレームの係合板部に光学シートの係合穴部を取り付けた状態を示した斜視図である。
【図１１】本発明の第１変形例によるディスプレイ装置のリアフレームの係合板部に光学シートの係合穴部を取り付けた状態を示した斜視図である。
【図１２】本発明の第２変形例によるディスプレイ装置のリアフレームの係合板部に光学シートの係合穴部を取り付けた状態を示した斜視図である。
【図１３】本発明の第３変形例によるディスプレイ装置のリアフレームの係合板部に光学シートの係合穴部を取り付けた状態を示した斜視図である。
【発明を実施するための形態】
【００１６】
以下、本発明を具体化した実施形態を図面に基づいて説明する。
【００１７】
（第１実施形態）
図１〜図７を参照して、本発明の第１実施形態によるディスプレイ装置１００の構成について説明する。なお、ディスプレイ装置１００は、本発明の「表示装置」の一例である。
【００１８】
ここで、以下の説明では、ディスプレイ装置１００の前側に向かう方向を前方（Ｙ１方向）、後側に向かう方向を後方（Ｙ２方向）とする。また、前後方向（Ｙ方向）および上下方向（Ｚ方向）に直交する方向を横方向（Ｘ方向）とする。
【００１９】
本発明の第１実施形態によるディスプレイ装置１００は、図１に示すように、ディスプレイ装置本体１０と、ディスプレイ装置本体１０を下方（Ｚ２方向）から支持するスタンド部材１１とから構成されている。また、ディスプレイ装置本体１０は、前側（Ｙ１方向側）に配置されるフロントキャビネット１２と、後側（Ｙ２方向側）に配置されるリアキャビネット１３と、フロントキャビネット１２とリアキャビネット１３との間に配置される表示モジュール１４とを備えている。
【００２０】
ディスプレイ装置１００の表示モジュール１４は、図２に示すように、後方側（Ｙ２方向側）から順に、リアフレーム２０と、ＬＥＤ光源３０と、複数の孔部３１ａを有する反射シート３１と、ＬＥＤ光源３０からの光を集光および拡散する光拡散板３２および光学シート４０と、モールドフレーム５０と、表示パネル５１とを備えている。なお、表示パネル５１は、本発明の「表示部」の一例である。
【００２１】
また、ディスプレイ装置１００は、リアフレーム２０の上方側（Ｚ１方向側）の外縁部２１に光学シート４０が取り付けられるように構成されている。また、ディスプレイ装置１００は、リアフレーム２０の上方側の外縁部２１から光学シート４０を吊り下げて保持するように構成されている。詳細については後述する。また、ディスプレイ装置１００は、ディスプレイ装置本体１０をスタンド部材１１に対して前方側（Ｙ１方向側）から見て９０度時計回り方向に回動可能に構成されている。すなわち、ディスプレイ装置１００は、回動前のＸ１方向側の端部が回動により上方向側（Ｚ１方向側）に移動されるように構成されている。
【００２２】
次に、図１〜図７を参照して、本発明の第１実施形態のディスプレイ装置１００の各部の構成について説明する。
【００２３】
リアフレーム２０は、金属製であるとともに、図２および図３に示すように、前方（Ｙ１方向側）が開口する台形状の箱型に形成されている。また、リアフレーム２０は、１対のＬＥＤ光源３０を内部に配置するように構成されている。
【００２４】
ＬＥＤ光源３０は、棒状のＬＥＤ支持部３０ａと、ＬＥＤ支持部３０ａに支持される複数のＬＥＤ３０ｂとを備えている。また、ＬＥＤ支持部３０ａは、反射シート３１に対して後方側（Ｙ２方向側）に配置されるように構成されている。また、ＬＥＤ３０ｂは、反射シート３１の孔部３１ａを後方（Ｙ２方向）から通されることにより反射シート３１の前方側（Ｙ１方向側）に露出するように構成されている。また、リアフレーム２０は、外縁部２１の前方側（Ｙ１方向側）に沿って順に、反射シート３１、光拡散板３２および光学シート４０が重なり合わされて配置されるように構成されている。
【００２５】
反射シート３１は、ＬＥＤ３０ｂから後方（Ｙ２方向）に向かう光を前方（Ｙ１方向）の表示パネル５１側に反射する機能を有している。また、反射シート３１は、約０．１８８ｍｍの厚みに形成されている。
【００２６】
また、リアフレーム２０は、図３および図５〜図７に示すように、上方側（Ｚ１方向側）の外縁部２１のＸ１方向側およびＸ２方向側に、それぞれ外縁部２１から表示パネル５１側の前方（Ｙ１方向）に突出する平板状の係合板部２２ａ（図７には図示せず）および２２ｂ（図５および図６には図示せず）を有している。また、係合板部２２ａと係合板部２２ｂとの横方向（Ｘ方向）の大きさは、等しくなるように構成されている。なお、係合板部２２ａおよび２２ｂは、本発明の「リアフレーム側係合部」の一例である。
【００２７】
また、リアフレーム２０の係合板部２２ａ（２２ｂ）は、図５に示すように、上下方向（Ｚ方向）および横方向（Ｘ方向）に延びるリアフレーム２０の外縁部２１の一部を前方側（Ｙ１方向側）に切り起こすことにより形成されている。また、係合板部２２ａ（２２ｂ）は、表示パネル５１の上辺５１ａ（図２参照）の延びる方向に沿って横方向（Ｘ方向）に延びる板状形状に形成されている。すなわち、係合板部２２ａ（２２ｂ）は、上下方向（Ｚ方向）が厚み方向となるように構成されている。
【００２８】
また、係合板部２２ａ（２２ｂ）は、図５〜図７に示すように、Ｚ１方向側からの平面視において、矩形状となるように形成されている。また、係合板部２２ａ（２２ｂ）は、厚みｔが約６ｍｍとなるように形成されている。また、係合板部２２ａ（２２ｂ）は、厚み方向（Ｚ方向）に貫通する孔部２３を有している。この係合板部２２ａ（２２ｂ）の孔部２３は、横方向（Ｘ方向）に延びる細長形状に形成されている。また、係合板部２２ａ（２２ｂ）の孔部２３は、前後方向（Ｙ方向）の幅Ｗ１が光学シート４０の厚みよりも大きくなるように構成されている。なお、孔部２３は、本発明の「外れ抑制部」および「重なり部分」の一例である。
【００２９】
図２に示すように、光拡散板３２は、ＰＣ（ポリカーボネート）から形成されている。また、光拡散板３２は、Ｙ１方向側からの正面視において、略矩形状に形成されている。また、光拡散板３２は、約１．５ｍｍの厚みに形成されている。また、光拡散板３２は、後方側（Ｙ２方向側）の面からＬＥＤ光源３０（ＬＥＤ３０ｂ）の光が直接入射するように構成されている。また、光拡散板３２は、前方側表面（Ｙ１方向側）の略全面に光学シート４０が当接する状態（重なる状態）で配置されるように構成されている。
【００３０】
光学シート４０は、図２に示すように、Ｙ１方向側からの正面視において、光拡散板３２と略同一の大きさおよび形状に形成されている。また、光学シート４０は、約０．２２５ｍｍの厚みに形成されている。また、光学シート４０は、図２に示すように、上端部４１からＺ１方向に飛び出す矩形状の取付凸部４２ａおよび４２ｂを有している。これらの取付凸部４２ａおよび４２ｂには、それぞれ、横方向（Ｘ方向）に延びる細長形状のスリットからなる係合孔部４３ａおよび４３ｂが形成されている。また、係合孔部４３ａ（４３ｂ）の短手方向（Ｚ方向）の幅は、約１．０ｍｍに設定されている。なお、係合孔部４３ａおよび４３ｂは、本発明の「光学シート側係合部」の一例である。
【００３１】
この係合孔部４３ａおよび４３ｂは、図５〜図７に示すように、光学シート４０がリアフレーム２０に取り付けられた状態で、それぞれ、リアフレーム２０の係合板部２２ａおよび２２ｂに対応する位置に形成されている。また、係合孔部４３ａ（４３ｂ）には、係合板部２２ａ（２２ｂ）の孔部２３の内側に突出して、孔部２３内に当接する突出部４４が形成されている。すなわち、係合孔部４３ａ（４３ｂ）には、係合板部２２ａ（２２ｂ）を形成する上方側（Ｚ１方向側）の端辺４５からＺ２方向に突出するとともに、Ｙ１方向側からの正面視において、横方向（Ｘ方向）に長い細長形状かつ台形状の突出部４４が形成されている。
【００３２】
この突出部４４の突出量Ｌは、約０．６ｍｍに設定されている。また、突出部４４の突出量Ｌは、突出部４４の突出方向（Ｚ２方向）における係合孔部４３ａ（４３ｂ）の幅Ｗ２（約１．０ｍｍ）と係合板部２２ａ（２２ｂ）の厚みｔ（約０．６ｍｍ）との差（Ｗ２−ｔ）よりも大きくなるように設定されている。また、突出部４４は、係合孔部４３ａ（４３ｂ）を、リアフレーム２０の係合板部２２ａ（２２ｂ）に取り付ける際において、突出部４４の先端部が係合板部２２ａ（２２ｂ）の上方側（Ｚ１方向側）の面２４に当接することにより一時的に撓むように構成されている。なお、突出部４４は、本発明の「外れ抑制部」および「重なり部分」の一例である。
【００３３】
また、リアフレーム２０の係合板部２２ａ（２２ｂ）と光学シート４０の突出部４４とは、Ｙ１方向側からの正面視でディスプレイ装置１００の設置状態における係合部分が重なり合う重なり部分を有するように構成されている。したがって、光学シート４０は、係合板部２２ａ（２２ｂ）が係合孔部４３ａ（４３ｂ）に嵌め込まれており係合されている状態で、係合板部２２ａ（２２ｂ）および突出部４４により、突出部４４が係合板部２２ａ（２２ｂ）に対して前方（Ｙ１方向）に外れる（脱落する）のを抑制するように構成されている。
【００３４】
また、係合孔部４３ａの長手方向（Ｘ方向）の幅は、係合孔部４３ｂの長手方向（Ｘ方向）の幅よりも大きくなるように構成されている。具体的には、係合孔部４３ａの長手方向（Ｘ方向）の幅は、図６に示すように、リアフレーム２０の係合板部２２ａの長手方向（Ｘ方向）の幅よりも大きくなるように構成されている。また、係合孔部４３ｂの長手方向（Ｘ方向）の幅は、図７に示すように、リアフレーム２０の係合板部２２ｂの長手方向（Ｘ方向）の幅と略同じ大きさ（僅かに係合孔部４３ａの方が大きい）となるように構成されている。
【００３５】
このように、光学シート４０は、係合孔部４３ａの長手方向（Ｘ方向）の幅を係合孔部４３ｂの長手方向（Ｘ方向）の幅よりも大きくすることにより、係合板部２２ｂと係合孔部４３ｂとの係合位置を基準とする位置決め状態で、係合板部２２ａと係合孔部４３ａとを容易に係合させることが可能なように構成されている。また、光学シート４０は、外部環境の温度変化により熱膨張した場合であっても、リアフレーム２０に容易に取り付け可能に構成されている。
【００３６】
また、リアフレーム２０には、図３に示すように、上記のＺ１方向側に形成された係合板部２２ａおよび２２ｂと同様の構成の係合板部２２ｃおよび２２ｄが、Ｘ１方向側においても形成されている。また、光学シート４０には、図４に示すように、上記のＺ１方向側に形成された係合孔部４３ａおよび４３ｂと同様の構成の係合孔部４６ａおよび４６ｂが、Ｘ１方向側においても形成されている。この係合孔部４６ａ（４６ｂ）には、係合板部２２ｃ（２２ｄ）の図示しない孔部内側に突出して、孔部内に当接する突出部４７が形成されている。
【００３７】
具体的には、リアフレーム２０は、Ｘ１方向側の外縁部２１における上方側（Ｚ１方向側）および下方側（Ｚ２方向側）に、それぞれ外縁部２１から表示パネル５１側の前方（Ｙ１方向）に突出する係合板部２２ｃおよび２２ｄを有している。また、光学シート４０は、それぞれ突出部４７が形成された係合孔部４６ａおよび４６ｂを取付凸部４８ａおよび４８ｂに有している。したがって、ディスプレイ装置本体１０を回動させて、Ｘ１方向側が上方（Ｚ１方向）に配置されるようにした場合に、リアフレーム２０は、上方（Ｚ１方向）から光学シートを吊り下げて保持することが可能なように構成されている。
【００３８】
表示パネル５１は、図２に示すように、ＬＥＤ光源３０（ＬＥＤ３０ｂ）からの光に基づいて映像を表示する機能を有している。モールドフレーム５０は、所定の支持部により液晶パネルを前方側（Ｙ１方向側）において位置決め状態で支持するように構成されている。また、モールドフレーム５０は、前方側（Ｙ１方向側）からフロントキャビネット１２と共に、ネジ９０によりリアフレーム２０に対して共締めされるように構成されている。これにより、光学シート４０は、リアフレーム２０の係合板部２２ａ（２２ｂ）が光学シート４０の係合孔部４３ａ（４３ｂ）に嵌め込まれた状態が維持されるように構成されている。すなわち、光学シート４０は、リアフレーム２０から外れることがなくなる。
【００３９】
第１実施形態では、以下のような効果を得ることができる。
【００４０】
第１実施形態では、上記のように、係合板部２２ａ（２２ｂ）に対して係合孔部４３ａ（４３ｂ）が前方（Ｙ１方向）に外れるのを抑制する突出部４４および孔部２３を設けることによって、突出部４４および孔部２３により係合孔部４３ａ（４３ｂ）が前方（Ｙ１方向）に外れるのが抑制されるので、係合孔部４３ａ（４３ｂ）が係合板部２２ａ（２２ｂ）に嵌め込まれた状態が維持され、組立作業時における光学シート４０のリアフレーム２０からの脱落を抑制することができる。また、リアフレーム２０および光学シート４０に、それぞれ一体的に形成される係合孔部４３ａ（４３ｂ）の突出部４４および係合板部２２ａ（２２ｂ）の孔部２３が、光学シート４０のリアフレーム２０からの脱落を抑制するので、突出部４４および孔部２３を別個に設ける場合に比べて、部品点数の増加を抑制することができる。
【００４１】
第１実施形態では、上記のように、係合板部２２ａ（２２ｂ）を、表示パネル５１の上辺５１ａの延びる方向に沿って横方向（Ｘ方向）に延びる板状形状に形成し、係合孔部４３ａ（４３ｂ）を、係合板部２２ａ（２２ｂ）が嵌め込まれて係合される細長形状のスリットにより構成し、係合孔部４３ａ（４３ｂ）が係合板部２２ａ（２２ｂ）に嵌め込まれて係合されている状態で、ディスプレイ装置１００は、突出部４４および孔部２３により、係合孔部４３ａ（４３ｂ）が係合板部２２ａ（２２ｂ）に対して前方（Ｙ１方向）に外れるのを抑制するように構成する。これにより、係合板部２２ａ（２２ｂ）が板状形状に形成され、係合孔部４３ａ（４３ｂ）が細長形状のスリットにより構成されるので、ディスプレイ装置１００の縁部を幅方向に小さく（細く）形成することができる。
【００４２】
第１実施形態では、上記のように、係合板部２２ａ（２２ｂ）と係合孔部４３ａ（４３ｂ）とが、突出部４４および孔部２３において、Ｙ１方向側から見た正面視でディスプレイ装置１００の設置状態における係合部分が互いに重なり合うようにする。これにより、係合孔部４３ａ（４３ｂ）が脱落する方向に係合板部２２ａ（２２ｂ）が重なるように配置されるので、簡易な構成で組立作業時における光学シート４０のリアフレーム２０からの脱落を効果的に抑制することができる。
【００４３】
第１実施形態では、上記のように、係合板部２２ａ（２２ｂ）が係合孔部４３ａ（４３ｂ）に嵌め込まれて係合している状態で、突出部４４をリアフレーム２０の孔部２３の内面に当接させることにより、ディスプレイ装置１００は、係合孔部４３ａ（４３ｂ）が係合板部２２ａ（２２ｂ）に対して前方（Ｙ１方向）に外れるのを抑制するように構成する。これにより、突出部４４が孔部の内面に当接することにより、係合孔部４３ａ（４３ｂ）が係合板部２２ａ（２２ｂ）に対して前方（Ｙ１方向）に外れるのが抑制されるので、係合板部２２ａ（２２ｂ）の光学シート４０よりも前方側（Ｙ１方向側）に突出する部分の突出高さを小さく抑えることができる。その結果、ディスプレイ装置１００の縁部を厚み方向（Ｚ方向）に小さく（細く）形成することができる。
【００４４】
第１実施形態では、上記のように、突出部４４の突出量Ｌを、突出部４４の突出方向（Ｚ方向）における係合孔部２３の幅Ｗ２と係合板部２２ａ（２２ｂ）の厚みｔとの差（Ｗ２−ｔ）よりも大きくなるように設定する。これにより、突出部４４を、確実に、係合板部２２ａ（２２ｂ）の孔部２３の内面に当接させることができるので、より確実に、組立作業時における光学シート４０のリアフレーム２０からの脱落を抑制することができる。
【００４５】
（第２実施形態）
図１および図８を参照して、本発明の第２実施形態によるディスプレイ装置２００の構成について説明する。なお、図８（図９〜図１３も同様）は構成(形状)の理解を容易とするために断面図としている。また、係合孔部および係合板部のうち、切断された図示しない側（Ｘ２方向側）の部分の係合孔部および係合板部の形状は、図示された側（Ｘ１方向側）の部分の係合孔部および係合板部の形状と断面に対して対称となるように構成されている。また、第１実施形態と同様の構成については、同一符号を付して説明を省略する。また、ディスプレイ装置２００は、本発明の「表示装置」の一例である。
【００４６】
この第２実施形態では、リアフレーム２０の孔部２３および光学シート４０の係合孔部４６ａ（４６ｂ）の突出部４４により、リアフレーム２０の係合板部２２ａ（２２ｂ）が光学シート４０の係合孔部４３ａ（４３ｂ）から外れることが抑制される第１実施形態とは異なり、リアフレーム２２０の曲げ部２２５により、リアフレーム２２０の係合板部２２２が光学シート２４０の係合孔部２４３から外れることが抑制される例について説明する。
【００４７】
ディスプレイ装置２００（図１参照）は、図８に示すように、光学シート２４０と、リアフレーム２２０とを備えている。光学シート２４０の取付凸部２４２には、横方向（Ｘ方向）に延びる細長形状のスリットからなる係合孔部２４３が形成されている。なお、係合孔部２４３には、第１実施形態のような突出部４４は、形成されていない。
【００４８】
リアフレーム２２０の係合板部２２２は、先端部の近傍が曲げ加工により下方側（Ｚ２方向側）に折り返され（折り畳まれ）、先端部がＹ２方向側を向くことによって、下方側（Ｚ２方向側）に凸状の曲げ部２２５が形成されている。また、曲げ部２２５は、曲げ部２２５のＹ２方向側の光学シート２４０の所定領域の係合面２４９に係合するように構成されている。また、曲げ部２２５は、係合面２４９に対してＹ１方向側からの正面視で重なるように構成されている。なお係合板部２２２は、本発明の「リアフレーム側係合部」の一例である。また、曲げ部２２５は、本発明の「外れ抑制部」の一例である。また、係合面２４９は、本発明の「光学シート側係合部」の一例である。
【００４９】
なお、第２実施形態のその他の構成は、上記第１実施形態と同様である。
【００５０】
第２実施形態では、以下のような効果を得ることができる。
【００５１】
第２実施形態では、上記第１実施形態と同様、係合板部２２２に対して係合孔部２４３が前方（Ｙ１方向）に外れるのを抑制する曲げ部２２５を設けることによって、組立作業時における光学シート２４０のリアフレーム２２０からの脱落を抑制することができる。また、リアフレーム２０および光学シート４０に、それぞれ一体的に形成される所定領域の係合面２４９および係合板部２２２の曲げ部２２５が、光学シート２４０のリアフレーム２２０からの脱落を抑制するので、係合面２４９および曲げ部２２５を別個に設ける場合に比べて、部品点数の増加を抑制することができる。
【００５２】
第２実施形態では、上記のように、凸状の曲げ部２２５を、係合面２４９に対してＹ１方向側からの正面視で重なるように構成する。これにより、曲げ部２２５を、曲げ加工により形成するだけの簡単な構成で、曲げ部２２５と係合面２４９とが重なるように構成することができるので、組立作業時における光学シート２４０のリアフレーム２２０からの脱落を容易かつ確実に抑制することができる。
【００５３】
なお、第２実施形態のその他の効果は、上記第１実施形態と同様である。
【００５４】
（第３実施形態）
図１および図９を参照して、本発明の第３実施形態によるディスプレイ装置３００の構成について説明する。また、第１および第２実施形態と同様の構成については、同一符号を付して説明を省略する。また、ディスプレイ装置３００は、本発明の「表示装置」の一例である。
【００５５】
この第３実施形態では、曲げ部２２５がリアフレーム２２０の係合板部２２２を折り返すことにより形成される第２実施形態とは異なり、曲げ部３２５がリアフレーム３２０の係合板部３２２に段差部３２５ａを設けることにより形成される例について説明する。
【００５６】
ディスプレイ装置３００（図１参照）は、図９に示すように、リアフレーム３２０を備えている。リアフレーム３２０の係合板部３２２には、横方向（Ｘ方向）に延びる細長形状の孔部３２３が形成されている。また、係合板部３２２には、孔部３２３の前方側（Ｙ１方向側）に上方（Ｚ１方向）に屈曲した段差部３２５ａが形成されている。また、係合板部３２２には、この段差部３２５ａにより、上方側（Ｚ１方向側）に凸状の曲げ部３２５が形成されている。なお、曲げ部３２５は、本発明の「外れ抑制部」の一例である。
【００５７】
なお、第３実施形態のその他の構成は、上記第２実施形態と同様である。
【００５８】
第３実施形態では、以下のような効果を得ることができる。
【００５９】
第３実施形態では、上記第２実施形態と同様、係合板部３２２に対して係合孔部２４３が前方（Ｙ１方向）に外れるのを抑制する曲げ部３２５を設けることによって、組立作業時における光学シート２４０のリアフレーム３２０からの脱落を抑制することができる。また、部品点数の増加を抑制することができる。
【００６０】
なお、第３実施形態のその他の効果は、上記第２実施形態と同様である。
【００６１】
（第４実施形態）
図１および図１０を参照して、本発明の第４実施形態によるディスプレイ装置４００（図１参照）の構成について説明する。また、第１および第２実施形態と同様の構成については、同一符号を付して説明を省略する。また、ディスプレイ装置４００は、本発明の「表示装置」の一例である。
【００６２】
この第４実施形態では、係合板部２２２に曲げ加工により曲げ部２２５が形成される第２実施形態とは異なり、係合板部４２２に絞り加工により曲げ部２２５と同様の機能を有する絞り部４２５が形成される例について説明する。
【００６３】
ディスプレイ装置４００は、図１０に示すように、リアフレーム４２０を備えている。リアフレーム４２０の係合板部４２２には、横方向（Ｘ方向）に延びる細長形状の孔部４２３が形成されている。また、係合板部４２２には、下方（Ｚ２方向）に膨らむ凸状かつ半円状の絞り部４２５が形成されている。なお、絞り部４２５は、本発明の「外れ抑制部」の一例である。
【００６４】
なお、第４実施形態のその他の構成は、上記第２実施形態と同様である。
【００６５】
第４実施形態では、以下のような効果を得ることができる。
【００６６】
第４実施形態では、上記第２実施形態と同様、係合板部４２２に対して係合孔部２４３が前方（Ｙ１方向）に外れるのを抑制する絞り部４２５を設けることによって、組立作業時における光学シート２４０のリアフレーム４２０からの脱落を抑制することができる。また、部品点数の増加を抑制することができる。
【００６７】
なお、第４実施形態のその他の効果は、上記第２実施形態と同様である。
【００６８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６９】
たとえば、上記第３実施形態では、図８に示すように、曲げ部２２５を係合板部２２２の先端部を折り返す（１８０度曲げる）ことにより形成する例について示したが、本発明はこれに限られない。本発明では、たとえば、図１１に示すように、係合板部５２２の先端を折り返すことなく、先端部が下方（Ｚ２方向）を向くように９０度曲げることにより曲げ部５２５を形成してもよい。
【００７０】
また、上記第１〜第４実施形態では、ディスプレイ装置に本発明を適用する例について示したが、本発明はこれに限られない。たとえば、テレビジョン装置に本発明を適用してもよい。
【００７１】
また、上記第４実施形態では、図１０に示すように、絞り部４２５を半円状に形成する例について示したが、本発明はこれに限られない。本発明では、たとえば、図１２に示すように、絞り部６２５を円状に形成してもよい。
【００７２】
また、上記第２〜第４実施形態では、係合板部を塑性変形させることにより曲げ部または絞り部を形成する例について示したが、本発明はこれに限られない。本発明では、たとえば、図１３に示すように、係合板部を塑性変形させることなく、ケガキ線７２５を係合板部７２２の上下方向（Ｙ１方向およびＹ２方向）の両面に形成してもよい。これにより、光学シートがＹ方向に移動する際にケガキ線に引っかかるので、光学シート２４０の脱落方向（Ｙ１方向）への移動が抑制される。
【００７３】
また、上記第１〜第４実施形態では、係合板部がＺ１方向側およびＸ１方向側にそれぞれ２つずつ形成される例について示したが、本発明はこれに限られない。本発明では、たとえば、係合板部がＺ１方向側およびＸ１方向側にそれぞれ３つずつ形成されてもよい。また、係合板部がＺ１方向側のみに形成されていてもよい。
【符号の説明】
【００７４】
２０、２２０、３２０、４２０  リアフレーム
２１  外縁部
２２ａ、２２ｂ、２２ｃ、２２ｄ、２２２、３２２、４２２  係合板部（リアフレーム側係合部）
２３  孔部（外れ抑制部）（重なり部分）
５１  表示部
５１ａ  上辺
４０、２４０  光学シート
４３ａ、４３ｂ、４６ａ、４６ｂ、２４３  係合孔部（光学シート側係合部）
４４、４７  突出部（外れ抑制部）（重なり部分）
１００、２００、３００、４００  ディスプレイ装置（表示装置）
２２５、３２５  曲げ部（外れ抑制部）
４２５  絞り部（外れ抑制部）
【図１】
2015129881.tif 000003
【図２】
2015129881.tif 000004
【図３】
2015129881.tif 000005
【図４】
2015129881.tif 000006
【図５】
2015129881.tif 000007
【図６】
2015129881.tif 000008
【図７】
2015129881.tif 000009
【図８】
2015129881.tif 000010
【図９】
2015129881.tif 000011
【図１０】
2015129881.tif 000012
【図１１】
2015129881.tif 000013
【図１２】
2015129881.tif 000014
【図１３】
2015129881.tif 000015